(57)【要約】【課題】ロック解除部のロック解除方向を第２の筐体が開く方向と一致させ、ロック解除操作の１アクションでロックの解除動作から第２の筐体の開放動作までを一連の連続動作として行うことができるようにする。【解決手段】被写体を撮像して光学的処理を施し、電気信号に変換する光学系装置が収納されたＶＴＲ本体２と、電気信号に基づいて被写体に対応した像を映し出す液晶パネル１１を有し且つＶＴＲ本体２に対して開閉自在及び回動自在に支持されたパネル蓋体３と、パネル蓋体３をＶＴＲ本体２に着脱自在にロックするロック手段と、を備えた撮像装置に関する。ロック手段は、ＶＴＲ本体２に取り付けられると共に弾性体により付勢されてパネル蓋体３をロックするロック部１６と、パネル蓋体３に取り付けられると共にパネル蓋体３を開放する方向へ移動することにより弾性体の付勢力に抗してロック部１６のロックを解除させるロック解除部１５と、を有する。【選択図】        図１
2004215115.tif 000002
【特許請求の範囲】
【請求項１】
被写体を撮像して光学的処理を施し、電気信号に変換する光学系装置が収納された第１の筐体と、
前記電気信号に基づいて前記被写体に対応した像を映し出す表示手段を有し且つ前記第１の筐体に対して開閉自在及び回動自在に支持された第２の筐体と、
前記第２の筐体を前記第１の筐体に着脱自在にロックするロック手段と、を備えた撮像装置において、
前記ロック手段は、前記第１の筐体に取り付けられると共に弾性体により付勢されて前記第２の筐体をロックするロック部と、
前記第２の筐体に取り付けられると共に当該第２の筐体を開放する方向へ移動することにより前記弾性体の付勢力に抗して前記ロック部のロックを解除させるロック解除部と、を有することを特徴とする撮像装置。
【請求項２】
前記ロック解除部は、前記第２の筐体に回動自在に支持されるシーソー部材を有し、当該シーソー部材の一端には操作部が設けられ且つ他端には前記ロック部のロック爪を移動させる作用部が設けられることを特徴とする請求項１記載の撮像装置。
【請求項３】
前記シーソー部材の回動中心の延長線を前記第２の筐体の回動中心の延長線上に略一致させて設けたことを特徴とする請求項２記載の撮像装置。
【請求項４】
前記第２の筐体には前記シーソー部材の前記操作部及び前記作用部の先端部が挿入される開口部を設け、当該操作部及び作用部を、前記第２の筐体の側面に突出させるようにしたことを特徴とする請求項２記載の撮像装置。
【発明の詳細な説明】
【０００１】
【発明の属する技術分野】
本発明は、例えば、液晶モニタ等の表示パネルを備えたビデオカメラや電子スチルカメラ等の撮像装置に関し、特に、表示パネルが収納された第２の筐体を撮像装置本体である第１の筐体に対してロック自在に構成した撮像装置に関するものである。
【０００２】
【従来の技術】
従来の、この種の撮像装置は、一般に、被写体を撮像する光学系その他の装置が収納されたカメラ本体と、撮像された画像を映し出す表示パネルを有し且つカメラ本体に対して開閉自在及び回動自在に支持されたパネル蓋体と、このパネル蓋体をカメラ本体に対して着脱自在にロックするロック手段と、を備えて構成されている。
【０００３】
そのロック手段は、パネル蓋体をカメラ本体にロックするロック部と、このロック部のロックを解除するロック解除部とから構成されている。ロック解除部は、押圧することによってロック部とのロックを解除する押し釦を有し手いる。この押し釦でロック部のロックを解除した後に、パネル蓋体の開閉動作が可能とされていた。
【０００４】
従来の、この種の電子機器の筐体ロック機構としては、例えば、特許文献１に記載されているようなものがある。この特許文献１には、ＬＣＤモニタを備えたビデオカメラ等の電子機器において、蓋体のスムーズな開動作、蓋体と機器本体側の筐体との確実な結合を可能にした電子機器に関するものが記載されている。
【０００５】
この特許文献１に係る電子機器は、電子機器本体に対して開閉動可能に設けられた蓋体を、前記電子機器本体に対してロック状態またはロック解除状態にするロック爪を備えた電子機器において、前記ロック爪に設けられた付勢用コイルバネの一端を取付部材の内部に圧入固定するために設置された圧入固定用リブと、前記ロック爪の解除釦を前記取付部材の外部に突出させるために該取付部材の側面に設けられた孔と、前記付勢用コイルバネにて前記ロック爪を前記取付部材の外側に付勢することにより前記孔の内側と前記ロック爪の解除釦のガイド部にて前記ロック爪の位置規制を行うガイド機構と、を備えたことを特徴としている。
【０００６】
更に、従来の、この種の電子機器のモニターロック装置として、例えば、特許文献２に記載されているようなものがある。この特許文献２には、回動自在な液晶モニタ部を備えたビデオカメラやデジタルカメラ等の記録再生装置における液晶モニタのロック装置に関するものが記載されている。
【０００７】
この特許文献１に係るモニターロック装置は、第１の筐体と、前記第１の筐体に回動自在に設けられた第２の筐体とを有し、前記第２の筐体を前記第１の筐体に対して固定可能なモニターロック装置であって、前記第２の筐体の一面に設けられた表示手段と、前記第１の筐体に設けられた係合手段と、前記第２の筐体に設けられ前記係合手段と係合する被係合手段とを備え、前記被係合手段は、前記第２の筐体が、前記表示手段が外部より目視できない状態である第１の位置にある時と、前記表示手段が外部より目視可能な状態である第２の位置にある時に、前記係合手段と係合するようにした、ことを特徴としている。
【０００８】
また、従来の、この種の電子機器の表示装置として、例えば、特許文献３に記載されているようなものもある。この特許文献３には、アーム、リンク等で装置本体に接続された液晶表示パネルを、装置本体に収納したり、引き出して使用する表示装置に関するものが記載されている。
【０００９】
この特許文献３に記載された表示装置は、装置本体に収納できる構造を有し、液晶パネルにより表示を行う液晶表示手段と、前記液晶表示手段を装置本体に収納した場合に前記液晶表示手段を装置本体に固定する固定手段と、前記液晶表示手段の収納状態を検出する検出手段とを備えた表示装置において、前記検出手段は、前記収納状態を検出するための前記固定手段による固定が行われた場合に他の部分と接触する接触部分を有し、この接触部分は前記固定手段に一体化して設けられている、ことを特徴としている。
【００１０】
【特許文献１】
特開２００２−２６１４６９号公報（第２頁、図１〜図５）
【特許文献２】
特開２００２−５１２４４号公報（第２頁、図１〜図５）
【特許文献３】
特開２０００−２９２７７９号公報（第２頁、図１，図２）
【００１１】
【発明が解決しようとする課題】
しかしながら、このような従来の電子機器の筐体ロック機構においては、表示パネルが収納されたパネル蓋体のロックを解除して開放動作するに際し、第一の段階で押し釦を押してロック手段のロックを解除した後、次の第二の段階でパネル蓋体を押してカメラ本体から表示パネルを引き出す、２アクションの構造となっていた。そのため、ロック手段のロック解除のための動作と、パネル蓋体を開くための動作とが、それぞれ別個独立の動作となり、操作性に劣るという課題があった。
【００１２】
また、ロック手段のロック解除のための操作釦がパネル蓋体の表面に大きく露出される構成となっていたため、電子機器の外観を損なうことになるという課題もあった。更に、従来の、この種の電子機器においては、１アクションでパネル蓋体を開くことができる構造の物もあったが、その物は、ロック爪を無理やり解除してパネル蓋体を開く形式であったため、ロック手段の耐久性やロック力に問題が生じるという課題があった。
【００１３】
本発明は、このような従来の課題に鑑みてなされたものであり、第１の筐体に対して開閉自在及び回動自在に支持された第２の筐体にロック手段のロック解除部を設けると共に、ロック解除部のロック解除方向を第２の筐体が開く方向と一致させることにより、ロック解除操作の１アクションでロックの解除動作から第２の筐体の開放動作までを一連の連続動作として行うことができる。
【００１４】
【課題を解決するための手段】
前述したような課題を解決し、前記目的を達成するために、本出願の請求項１に記載の撮像装置は、被写体を撮像して光学的処理を施し、電気信号に変換する光学系装置が収納された第１の筐体と、電気信号に基づいて被写体に対応した像を映し出す表示手段を有し且つ第１の筐体に対して開閉自在及び回動自在に支持された第２の筐体と、第２の筐体を第１の筐体に着脱自在にロックするロック手段と、を備えた撮像装置において、ロック手段は、第１の筐体に取り付けられると共に弾性体により付勢されて第２の筐体をロックするロック部と、第２の筐体に取り付けられると共に第２の筐体を開放する方向へ移動することにより弾性体の付勢力に抗してロック部のロックを解除させるロック解除部と、を有することを特徴としている。
【００１５】
本出願の請求項２に記載の撮像装置は、ロック解除部は、第２の筐体に回動自在に支持されるシーソー部材を有し、シーソー部材の一端には操作部が設けられ且つ他端にはロック部のロック爪を移動させる作用部が設けられることを特徴としている。
【００１６】
本出願の請求項３に記載の撮像装置は、シーソー部材の回動中心の延長線を第２の筐体の回動中心の延長線上に略一致させて設けたことを特徴としている。
【００１７】
本出願の請求項４に記載の撮像装置は、第２の筐体にはシーソー部材の操作部及び作用部の先端部が挿入される開口部を設け、操作部及び作用部を、第２の筐体の側面に突出させるようにしたことを特徴としている。
【００１８】
上述のように構成したことにより、本出願の請求項１  記載の撮像装置では、ロック部のロックを解除する方向へロック解除部を操作すると、そのロックが解除されると同時に、第２の筐体の開放動作が可能となる。そのため、ロック解除操作の１アクションでロックの解除動作から第２の筐体の開放動作までを一連の連続動作として行うことができる。
【００１９】
本出願の請求項２記載の撮像装置では、シーソー部材の操作部に力を加えると、反対側の作用部が同方向に回転してロック部のロック爪を後退動作させる。そのため、ロック部のロック解除動作に続けて第２の筐体の開閉動作を行うことができ、ロック解除操作の１アクションで第２の筐体を開放することができる。
【００２０】
本出願の請求項３に記載の撮像装置では、第２の筐体の回動中心の延長線とシーソー部材の回動中心の延長線が略一致しているため、第２の筐体を回動操作すると、その回動量だけシーソー部材も同様に回動するから、第２の筐体を裏返しにした状態でもロック手段でロックすることができる。
【００２１】
本出願の請求項４に記載の撮像装置では、シーソー部材の操作部及び作用部が第２の筐体の前面には突出されておらず、その側面に突出させているため、第２の筐体の外観を損なうことなく、ロック解除部を第２の筐体に配設することができる。
【００２２】
【発明の実施の形態】
以下、本発明の実施の形態を、添付図面を参照して説明する。図１乃至図６は、本発明の実施の例を示すものである。即ち、図１は本発明の撮像装置の一実施例の概略構成を示す説明図、図２はパネル筐体を閉じた状態の要部を示す説明図、図３はカメラ本体の要部を示す説明図、図４は本発明のロック手段に係るロック解除部の一実施例を示す説明図、図５及び図６はロック手段のロック解除動作を説明する説明図である。
【００２３】
図１に示す本発明の一実施例に係る撮像装置は、カメラの機能とビデオテープレコーダの機能が一体化されたカメラ一体型ビデオテープレコーダ（以下「カメラ一体型ＶＴＲ」という。）である。このカメラ一体型ＶＴＲ１は、光学系装置が収納された第１の筐体の一具体例を示すビデオテープレコーダ本体（以下「ＶＴＲ本体」という。）２と、このＶＴＲ本体２に対して開閉自在及び回動自在に支持された第２の筐体の一具体例を示すパネル蓋体３と、このパネル蓋体３をＶＴＲ本体２に着脱自在にロックするロック手段等を備えて構成されている。
【００２４】
ＶＴＲ本体２は、前後方向に長くした中空の筐体からなり、その前面には撮像レンズ４が着脱可能に取り付けられている。また、ＶＴＲ本体２の上部には、被写体を目視するためのビューファインダ５が、上下方向へ俯仰可能に取り付けられている。更に、ＶＴＲ本体２の後部には、携帯用電源装置の一具体例を示すバッテリーパック６が着脱可能に取り付けられている。そして、ＶＴＲ本体２の一方の側面部には、パネル蓋体３を収納するための凹部７が設けられている。
【００２５】
ＶＴＲ本体２の凹部７は、上方及び後方に開口されていて、前部にはパネル蓋体３を開閉自在及び回動自在に支持する支持手段が取り付けられている。この支持手段は、パネル蓋体３を回動自在に支持するための回動支持機構８と、パネル蓋体３を開閉自在に支持するための開閉支持機構９とから構成されている。
【００２６】
開閉支持機構９は、例えば、両端に軸支持片が立設され且つＶＴＲ本体２に固定される第１の金具と、同じく両端に軸支持片が立設される第２の金具と、同一軸心上に配置された４個の軸支持片を回動自在に連結する連結軸との組み合わせによって構成することができる。第１の金具がＶＴＲ本体２の前部に取り付けられ、この第１の金具に対して第２の金具が水平方向へ略９０度回動自在に構成されている。
【００２７】
また、回動支持機構８は、例えば、開閉支持機構９の第２の金具に対して回動自在に支持される回動軸によって構成されている。回動支持機構８の回動軸は、パネル蓋体３の一方の側面の略中央部において側方へ突出するように設けられている。この突出部を第２の金具に貫通させると共に、その突出端に止め輪を係合させて抜け止めを図ることにより回動自在に構成されている。この回動支持機構８は、本実施例においては、約２７０度の角度範囲内で回動自在とされている。
【００２８】
このような構成を有する支持手段によって支持されているパネル蓋体３の一面には、四辺の縁部を枠状に残した開口窓１０が設けられている。この開口窓１０には、表示手段の一具体例を示す表示パネル（例えば、液晶モニタ等）１１が嵌め込まれて、パネル蓋体３と一体的に構成されている。表示パネル１１は、被写体を撮像した画像や、備え付けの記憶装置に予め記憶されている情報に対応した画像、或いは着脱自在とされている記録媒体に記録されている映像、その他の画像を表示することができるものである。
【００２９】
この表示パネル１１が収納されたパネル蓋体３は、支持手段の開閉支持機構９により、その開閉中心線Ｓを回動中心として水平方向に略９０度回動変位可能である。これにより、パネル蓋体３は、図１に示すようにＶＴＲ本体２の側面から離れて９０度回動変位した後の開放状態と、図２等に示すようにＶＴＲ本体２の側面に密着した閉鎖状態と、これら開放状態と閉鎖状態との間の任意の位置に保持される中間状態とを任意に取ることができる。
【００３０】
また、パネル蓋体３は、支持手段の回動支持機構８により、その回動中心線Ｔを回動中心として上下方向に略２７０度回動変位可能とされている。これにより、パネル蓋体３は、図１に示すように表示パネル１１の表示面を後方（撮像者側）に向けた状態と、表示面を下方に９０度回動変位した後の下向き状態と、表示面を上方に９０度回動変位した後の上向き状態と、上向きから更に９０度前方へ回動変位した後の前方（被写体側）に向けた状態と、を任意に取ることができる。符号１２は、表示パネル１１の表示を制御するための操作釦である。この操作釦１２の操作により、表示パネル１１の表示内容を任意のパターンに設定することができる。
【００３１】
更に、パネル蓋体３の支持手段と反対側には、パネル蓋体３をＶＴＲ本体２に対して着脱自在にロックするロック手段が設けられている。このロック手段は、パネル蓋体３に設けたロック解除部１５と、ＶＴＲ本体２に設けたロック部１６とによって構成されている。ロック解除部１５は、図５等に示すように、パネル蓋体３の支持手段と反対側の側面の内部に回動自在に支持されたシーソー部材１７と、このシーソー部材１７を、図４において時計方向に付勢する捩りバネ１８とから構成されている。
【００３２】
シーソー部材１７は、中央部に枢軸１９が回動自在に挿通される板状のベース片２０と、このベース片２０の一面側で長手方向の両側部に設けられた一対の突条部２１，２２とを有している。一対の突条部２１，２２は、一方がロック解除時の操作部であって、他方がロック解除時の作用部であるが、この操作部と作用部の関係は、パネル蓋体３の状態によって入れ替わるものである。即ち、パネル蓋体３が回動支持機構８により回転して内側にあった表示パネル１１が外側に移動すると、操作部と作用部の関係がそのまま逆の関係となり、上方に移動した突条部が操作部となり、下方に移動した突条部が作用部となる。
【００３３】
このシーソー部材１７は、パネル蓋体３の側面の内側に設けた前記枢軸１９によって回動自在に支持されている。このシーソー部材１７の一対の突条部２１，２２をパネル蓋体３の外に露出又は突出させるためにパネル蓋体３の側面には、各突条部２１，２２が所定角度の範囲内で回動できるように若干大きめの一対の開口部２３，２４が設けられている。一方の開口部２３には一方の突条部２１が挿入され、他方の開口部２４には他方の突条部２２が挿入されている。これによりシーソー部材１７は、枢軸１９を回動中心として所定角度の範囲内でシーソーのような動きをなす揺動運動が可能とされている。
【００３４】
枢軸１９の回動中心の延長線は、回動支持機構８の回動中心の延長線と一致されている。従って、一対の突条部２１，２２は、回動支持機構８の回動中心を中心として点対称の関係にあり、パネル蓋体３を１８０度回転させると、上下の突条部２１，２２がそのまま入れ替わることになる。しかしながら、枢軸１９の回動中心の延長線と回動支持機構８の回動中心の延長線とは完全に一致しなければならないものではなく、後述するように、１８０度回転変位した状態で同様のロック解除動作を行うことができる範囲内において両回動中心が偏心することに問題はない。
【００３５】
このような構成を有するロック解除部１５の下側の突条部に対応するようにロック部１６がＶＴＲ本体２に設けられている。このロック部１６は、図３及び図４に示すように、Ｌ字状に形成されたロックレバー２６と、このロックレバー２６をシーソー部材１７側に付勢するコイルバネ２７とを有している。ロックレバー２６の一端には回動軸２９が回動自在に挿通されており、この回動軸２９を介してロックレバー２６がＶＴＲ本体２に回動自在に支持されている。
【００３６】
このロックレバー２６をＶＴＲ本体２の内部に収納するためＶＴＲ本体２の、シーソー部材１７の下側の突条部と対応する位置には、図２に示すように、側方に突出する膨出部３０が設けられている。図３に示すように、膨出部３０の内面には、ロックレバー２６の、回動軸２９が挿通される側と反対側のロック爪２６ａを突出させるための貫通穴３１が設けられている。この貫通穴３１に対してロック爪２６ａを進退動作させるため、ロックレバー２６を回動自在に支持する枢軸２９が膨出部３０に両端支持されている。更に、枢軸２９にはコイルバネ２７のコイル部が嵌合されている。このコイルバネ２７の一端がロックレバー２６に係合され、その他端がＶＴＲ本体２に係合されている。このコイルバネ２７のバネ力によってロックレバー２６が、貫通穴３１からロック爪２６ａを突出させる方向に常時付勢されている。
【００３７】
この貫通穴３１から突出するロック爪２６ａが、パネル蓋体３の下側の開口部２４内に挿入される。このロック爪２６ａが開口部２４の縁を係合保持することによってロック部１６によるロックがなされ、パネル蓋体３がＶＴＲ本体２にロックされる。このロック部１６のロックは、ロック解除部１５によるロック解除操作によって簡単に解除することができる。
【００３８】
前述したＶＴＲ本体２、パネル蓋体３、シーソー部材１７及びロックレバー２６の材質としては、例えば、ＡＢＳ樹脂（アクリロニトリル・ブタジエン・スチレン樹脂）等のエンジニアリング・プラスチックが好適であるが、アルミニウム合金、マグネシウム合金その他の金属は勿論のこと、金属以外のこの種の部品の材料として用いられる各種の材料を使用することができる。
【００３９】
次に、ロック手段によるパネル蓋体３のロック及びロック解除（アンロック）について説明する。例えば、図１の状態でカメラ一体型ＶＴＲ１による被写体の撮像が終了し、パネル蓋体３を閉じるときには、回動支持機構８によりパネル蓋体３を回して表示パネル１１を垂直に直す。そして、開閉支持機構９によりパネル蓋体３を閉じ側に回動させる。この回動操作でパネル蓋体３をＶＴＲ本体２の凹部７内に嵌め込むことにより、ロック部１６が働いて、パネル蓋体３がＶＴＲ本体２にロックされる。
【００４０】
この場合、パネル蓋体３の側面部における外周縁の移動軌跡上には、ロック部１６のロックレバー２６のロック爪２６ａが突出しているが、このロック爪２６ａがパネル蓋体３の外周縁によって押圧される。このとき、パネル蓋体３の外周縁が接触するロック爪２６ａの接触面は、閉じ側に傾斜した斜面となっているため、その押圧力の分力によりコイルバネ２７の付勢力に抗してロック爪２６ａが後方に押圧される。その結果、ロック爪２６ａがパネル蓋体３の外周縁を乗り越えて下側の開口部２４に係合され、これによりパネル蓋体３がロックされる。この状態では、ロック解除部１５によるロック解除操作が行われないと、パネル蓋体３を開くことができない。
【００４１】
次に、パネル蓋体３を開く場合には、ロック解除部１５によるロック解除操作を行う。このロック解除と蓋体の開放操作は、ロック解除部１５の上側の突条部２１（或いは２２）を動作させるだけの１アクションによって簡単に行うことができる。即ち、図５に示すように、ロック解除部１５の上側の突条部２１（或いは２２）を、パネル蓋体３が開放する方向に回動させる。すると、下側の突条部２２（或いは２１）が同方向、図５において反時計方向に回動し、ロック部１６のロックレバー２６のロック爪２６ａを押圧する。これにより、ロックレバー２６が回動軸２９を回動中心として、図５において時計方向に回動する。その結果、ロック爪２６ａが下側の開口部２４から抜け出すため、ロック爪２６ａによるロックが解除される。
【００４２】
このようにロック部１６によるロックが解除されると、パネル蓋体３が回動自由な状態になるため、引き続いてパネル蓋体３を開放動作させることができる。しかも、ロック解除後のパネル蓋体３の開放方向は、ロック解除のために突条部を動かした方向と同じであるため、両動作を一連の連続した動作として１アクションで行うことができる。従って、パネル蓋体３のロック解除から開放動作までの動きを、一連のスムースな操作によって実現することができる。
【００４３】
次に、パネル蓋体３を１８０度回転させた状態で行うロック・アンロックについて説明する。図１に示すパネル蓋体３における表示パネル１１の後向き状態から、パネル蓋体３を回動支持機構８によって１８０度回転させ、表示パネル１１を前向きにして凹部７に嵌め込むと、前述したのと同様の動作によってパネル蓋体３がロックされる。これは、一対の開口部２３と２４が、回動支持機構８の回動中心を中心として点対称の関係に設定されているからである。
【００４４】
即ち、パネル蓋体３をＶＴＲ本体２の凹部７内に嵌め込むと、ロックレバー２６のロック爪２６ａがパネル蓋体３の外縁を乗り越え、下側に移動した開口部２３（或いは２４）内に入り込む。これにより、ロック爪２６ａによるパネル蓋体３のロックが実行され、パネル蓋体３が開かない状態になる。
【００４５】
次に、この状態からパネル蓋体３を開放する場合は、前述した開放操作と同様の操作を行う。即ち、上側に移動した突条部２２（或いは２１）を、パネル蓋体３を開放する方向に押圧する。これにより、反対側の突条部２１（或いは２２）がロックレバー２６のロック爪２６ａを押圧し、コイルバネ２７のバネ力に抗して後方へ回動させる。その結果、ロック爪２６ａによるロックが解除され、パネル蓋体３が自由な状態になる。
【００４６】
即ち、シーソー部材１７の回動により突条部２２（或いは２１）と開口部２４（或いは２３）の縁との間隔が狭まるに連れて、両者に挟まれたロック爪２６ａが傾斜部を有するため、その傾斜部に作用する押圧力に対する直交方向の分力（シーソー部材１７の回動方向と直交する方向に作用する力）によってロックレバー２６がロックを解除する方向へ移動する。そして、突条部２２（或いは２１）と開口部２４（或いは２３）の縁との間隔がなくなったときに、ロック爪２６ａが両者の間から外れてロックが解除されることになる。
【００４７】
そこで、開き動作を続けることにより、表示パネル１１を前向きにした状態でパネル蓋体３が開かれる。この場合にもパネル蓋体３の開放動作は、パネル蓋体３のロック解除から開放動作までの連続した動作として、一連のスムースな操作によって実現することができる。
【００４８】
以上説明したが、本発明は前記実施の例に限定されるものではなく、例えば前記実施例では、ＶＴＲ本体２の右側にパネル蓋体３を取り付けた例について説明したが、パネル蓋体はＶＴＲ本体の左側は勿論のこと、後側或いは上側等に取り付ける構造としてもよいものである。また、前記実施例では撮像装置としてカメラ一体型ＶＴＲに適用した例について説明したが、例えば、電子スチルカメラ、デジタルビデオカメラその他の撮像装置に本発明は適用できるものである。このように、本発明は、その趣旨を逸脱しない範囲で種々に変更できるものである。
【００４９】
【発明の効果】
以上説明したように、本出願の請求項１記載の撮像装置によれば、ロック部のロックを解除する方向へロック解除部を操作すると、そのロックが解除されると同時に、第２の筐体の開放動作が可能となるため、ロック解除操作の１アクションでロックの解除動作から第２の筐体の開放動作までを一連の連続動作として行うことができる。従って、ロック解除と第２の筐体の開放動作との間に違和感を生じることが無く、スムースな操作性を実現することができると共に、改善に伴って部品点数が増加されることが無く、これまでと同じ数の部品点数であるため、コストアップを防止し又は抑制することができるという効果が得られる。
【００５０】
本出願の請求項２記載の撮像装置によれば、シーソー部材の操作部に力を加えると、反対側の作用部が同方向に回転してロック部のロック爪を後退動作させることができるため、ロック部のロック解除動作に続けて第２の筐体の開閉動作を行うことができ、ロック解除操作の１アクションで第２の筐体を開放することができるという効果が得られる。
【００５１】
本出願の請求項３記載の撮像装置によれば、第２の筐体の回動中心の延長線とシーソー部材の回動中心の延長線が略一致しているため、第２の筐体を回動操作すると、その回動量だけシーソー部材も同様に回動するから、第２の筐体を裏返しにした状態でもロック手段でロックすることができる。従って、第２の筐体の正転時と反転時のいずれにおいても、まったく同じ動作によってロック解除を行うことができるという効果が得られる。
【００５２】
本出願の請求項４記載の撮像装置によれば、シーソー部材の操作部及び作用部が第２の筐体の前面には突出されておらず、その側面に突出させているため、第２の筐体の外観を損なうことなく、ロック解除部を第２の筐体に配設することができる。そのため、第２の筐体の表面に現れる不自然な突起を無くすことができ、外観を損なうことの無い撮像装置を提供することができるという効果が得られる。
【図面の簡単な説明】
【図１】本発明の撮像装置の一実施例を示すカメラ一体型ＶＴＲに適用したもので、パネル筐体を開放した状態の説明図である。
【図２】図１のパネル筐体を閉じた状態のカメラ一体型ＶＴＲの要部を示す説明図である。
【図３】図２のパネル筐体を除いてカメラ本体の要部を示す説明図である。
【図４】本発明の撮像装置に係るロック手段の一実施例を示すもので、パネル筐体の一部を断面して示す説明図である。
【図５】図４に示すロック手段の動作を説明するもので、ロック解除前の状態示す説明図である。
【図６】図４に示すロック手段の動作を説明するもので、ロック解除後の状態示す説明図である。
【符号の説明】
１  カメラ一体型ＶＴＲ（撮像装置）、  ２  ＶＴＲ本体（第１の筐体）、  ３  パネル蓋体（第２の筐体）、  ４  撮像レンズ、  ７  凹部、  ８  回動支持機構、  ９  開閉支持機構、  １１  表示パネル、  １５  ロック解除部、  １６  ロック部、  １７  シーソー部材、  １８  捩りバネ、  ２１，２２  突条部、  ２３，２４  開口部、  ２６  ロックレバー、  ２６ａ  ロック爪、  ２７  コイルバネ
【図１】
2004215115.tif 000003
【図２】
2004215115.tif 000004
【図３】
2004215115.tif 000005
【図４】
2004215115.tif 000006
【図５】
2004215115.tif 000007
【図６】
2004215115.tif 000008